(57)【要約】【課題】ＣＣＤ駆動端子数の増加及び駆動パルスの駆動方法が複雑になり、メモリの増大、結果として、コストアップにつながってしまっている。【解決手段】撮像手段と、撮像手段の駆動パルスの一部である内部パルスを生成するための内部パルス情報を動作モード毎に記憶する内部パルス記憶手段と、自装置が設定されている動作モードと、内部パルス記憶手段に記憶されている内部パルス情報とに基づいて、内部パルスを生成する内部パルス生成手段と、内部パルス生成手段により生成された内部パルスを駆動パルスに割り当てるための割当情報を動作モード毎に記憶する割当情報記憶手段と、自装置が設定されている動作モードと、内部パルス生成手段により生成された内部パルスと、割当情報記憶手段に記憶されている割当情報と、に基づいて、駆動パルスを生成する駆動パルス生成手段と、を備える。【選択図】図１
2011049933.tif 000002
【特許請求の範囲】
【請求項１】
複数の動作モードに設定可能な撮像装置であって、
撮像手段と、
前記撮像手段の駆動パルスの一部である内部パルスを生成するための内部パルス情報を前記動作モード毎に記憶する内部パルス記憶手段と、
自装置が設定されている前記動作モードと、前記内部パルス記憶手段に記憶されている内部パルス情報とに基づいて、内部パルスを生成する内部パルス生成手段と、
前記内部パルス生成手段により生成された内部パルスを前記駆動パルスに割り当てるための割当情報を前記動作モード毎に記憶する割当情報記憶手段と、
自装置が設定されている前記動作モードと、前記内部パルス生成手段により生成された内部パルスと、前記割当情報記憶手段に記憶されている割当情報と、に基づいて、前記駆動パルスを生成する駆動パルス生成手段と、を備える、
撮像装置。
【請求項２】
撮像手段と、
前記撮像手段の駆動パルスの一部である内部パルスを生成するための内部パルス情報を前記撮像手段の複数の駆動状態のそれぞれと対応付けて記憶する内部パルス記憶手段と、
前記撮像手段の駆動状態と、前記内部パルス記憶手段に記憶されている内部パルス情報とに基づいて、内部パルスを生成する内部パルス生成手段と、
前記内部パルス生成手段により生成された内部パルスを前記駆動パルスに割り当てるための割当情報を前記撮像手段の複数の駆動状態のそれぞれと対応付けて記憶する割当情報記憶手段と、
前記撮像手段の駆動状態と、前記内部パルス生成手段により生成された内部パルスと、前記割当情報記憶手段に記憶されている割当情報と、に基づいて、前記駆動パルスを生成する駆動パルス生成手段と、を備える、
撮像装置。
【発明の詳細な説明】
【技術分野】
【０００１】
本発明は、撮像素子駆動パルスを生成する撮像装置に関する。
【背景技術】
【０００２】
近年のデジタルスチルカメラなどの撮像装置では、静止画を撮影するためのスチルモード、静止画の画角を調整するためのモニタモード、動画を記録するときの動画モードなど
複数の動作モードを備えており、ＣＣＤ（Ｃｈａｒｇｅ  Ｃｏｕｐｌｅｄ  Ｄｅｖｉｃｅ）などの撮像素子は、これらの動作モードに応じた駆動パルスによって駆動する。
よって、前記駆動パルスを生成するＴＧ（Ｔｉｍｉｎｇ  Ｇｅｎｅｒａｔｏｒ）部には、それぞれの動作モードに適した駆動パルスデータを生成し、それらを動作モードに応じてＣＣＤに供給することが要求される。
また、デジタルスチルカメラの進化により、ＣＣＤは駆動が静止画を撮影するためのフレーム読み出しに加えて、使用者が画角を確認するモニタモードや、動画記録をする動画モードでも、画質優先の全画素加算読み出し、速度優先の１／１２画素間引き読み出し、その中間の１／６間引き読み出しなど様々な駆動モード備えている。そのため、ＣＣＤ駆動端子数の増加及び駆動方法が複雑になり、結果として、駆動パルスを保持するメモリの増加、及び、コストアップにつながってしまっていた。
このような課題を解決するために、例えば、特許文献１のように様々なモードに対応するため、駆動モードを実現するための複数の駆動パルスデータを外部にもち、動作モードに応じて２つのレジスタを排他的に書き換えることで、多くのモードを最小のメモリで実現するものが知られている。
【先行技術文献】
【特許文献】
【０００３】
【特許文献１】特開２００３−２０４４９０号公報
【特許文献２】特開２００８−１７０８９号公報
【発明の概要】
【発明が解決しようとする課題】
【０００４】
しかしながら、特許文献１のものは、駆動モードの増加によって駆動パルスデータが増加しても、排他的に書き換えることで駆動モードを実現することには有効な手段であるが、
切り替えを行うモード間で最大のメモリを用意する必要があり、また、動作していないものに対して書き換えを行う必要があるため、書き換え可能なモードを管理する必要があった。そのため、制御的に複雑となってしまうという問題があった。
【０００５】
また、特許文献２のものは、時間的な繰り返し等で駆動パルスデータを効率化するということにおいては有効な手段であるが、近年のＣＣＤの駆動端子数の増加によるメモリの増加に対しては効果がないという問題があった。
【課題を解決するための手段】
【０００６】
このような課題を解決するために、本発明にかかる撮像装置は、複数の動作モードに設定可能な撮像装置であって、撮像手段と、撮像手段の駆動パルスの一部である内部パルスを生成するための内部パルス情報を動作モード毎に記憶する内部パルス記憶手段と、自装置が設定されている動作モードと、内部パルス記憶手段に記憶されている内部パルス情報とに基づいて、内部パルスを生成する内部パルス生成手段と、内部パルス生成手段により生成された内部パルスを駆動パルスに割り当てるための割当情報を動作モード毎に記憶する割当情報記憶手段と、自装置が設定されている動作モードと、内部パルス生成手段により生成された内部パルスと、割当情報記憶手段に記憶されている割当情報と、に基づいて、駆動パルスを生成する駆動パルス生成手段と、を備える。
【０００７】
また、本発明にかかる撮像装置は、撮像手段と、撮像手段の駆動パルスの一部である内部パルスを生成するための内部パルス情報を撮像手段の複数の駆動状態のそれぞれと対応付けて記憶する内部パルス記憶手段と、撮像手段の駆動状態と、内部パルス記憶手段に記憶されている内部パルス情報とに基づいて、内部パルスを生成する内部パルス生成手段と、内部パルス生成手段により生成された内部パルスを駆動パルスに割り当てるための割当情報を撮像手段の複数の駆動状態のそれぞれと対応付けて記憶する割当情報記憶手段と、撮像手段の駆動状態と、内部パルス生成手段により生成された内部パルスと、割当情報記憶手段に記憶されている割当情報と、に基づいて、駆動パルスを生成する駆動パルス生成手段と、を備える。
【発明の効果】
【０００８】
本発明によれば、複数の駆動端子が同じ駆動パルスタイミングで動作する駆動モードにおいて、一つのパルスデータから複数の駆動端子に割り当てることで、最小のパルスデータで撮像素子に供給する駆動パルスを作成することができ、多くの駆動モードの実現、及び、駆動パルスデータのメモリの効率化を実現することができる。
【図面の簡単な説明】
【０００９】
【図１】本発明の実施の形態にかかるデジタルカメラの構成を示すブロック図
【図２】本発明のデジタルカメラのモニタモードからスチルモードに移行した場合のフローチャート
【図３】モニタ動作時に駆動させる画素加算読み出しの出力駆動パルスタイミングチャート
【図４】静止画動作時に駆動させるフレーム読み出しの出力駆動パルスタイミングチャート
【図５】画素加算読み出し時のパルスデータ及び内部パルスタイミングを示す模式図
【図６】画素加算読み出し時の駆動パルス割当情報を示す模式図
【図７】画素加算読み出し時の出力パルス割当回路の概略図
【図８】フレーム読み出し時のパルスデータ及び内部パルスタイミングを示す模式図
【図９】フレーム読み出し時の駆動パルス割当情報を示す模式図
【図１０】フレーム読み出し時の出力パルス割当回路の概略図
【発明を実施するための形態】
【００１０】
（実施の形態１）
次に添付図面を参照して本発明による撮像装置の実施例を詳細に説明する。尚、図中、本発明に直接関係のない要素は省略し、同様の要素は同一の符号で示す。
１．構成
１-１．撮像装置の構成
図１は、本発明の実施の形態にかかるデジタルカメラ（１）の構成を示すブロック図である。
【００１１】
デジタルカメラ（１）は静止画撮影が可能であるとともに、モニタ動作などさまざまな動作が可能である。以下、デジタルカメラ（１）の構成を詳述する。
【００１２】
デジタルカメラ（１）はＣＣＤ(１０）と、ＴＧ部（２０）、及びコントローラ（３０）を備える。
【００１３】
ＣＣＤ（１０）は、図示しないレンズなどの光学部から撮像された被写体を光電変換する。ＣＣＤ（１０）は、ＭＯＳ（Ｍｅｔａｌ  Ｏｘｉｄｅ  Ｓｅｍｉｃｏｎｄｕｃｔｏｒ）イメージセンサ等でも構成が可能である。
【００１４】
また、ＣＣＤ（１０）は、光電変換されたデータを出力駆動パルス（ａ）によって静止画を撮影するためのフレーム読み出し、モニタ時に使用するための高速フレームレートで動作することが可能な画素加算読み出し等、１モード以上のデータ読出方法を備えている。
【００１５】
ＴＧ部（２０）は、ＣＣＤ（１０）に出力駆動パルス（ａ）を供給する。
【００１６】
出力駆動パルス（ａ）は２本以上の複数の信号線で成り立っている。出力駆動パルス（ａ）には、例えば、垂直転送信号、水平転送信号などがある。
【００１７】
また、ＴＧ部（２０）は、記録部（２１）を含む。
【００１８】
記録部（２１）は、ＣＣＤ（１０）に供給する出力駆動パルス（ａ）を生成するために必要なパルスデータ（ｂ）を保持する。記録部（２１）は例えば、ＳＲＡＭ（Ｓｔａｔｉｃ  Ｒａｎｄａｍ  Ａｃｃｅｓｓ  Ｍｅｍｏｒｙ）などで構成できる。尚、記録部（２１）はＴＧ部（２０）内でなく、外部の記録メモリなどに設けてもよい。
【００１９】
また、ＴＧ部（２０）は、パルスデータ（ｂ）を排他的に選択するスイッチ（２２）を含む。また、ＴＧ部（２０）は、内部パルス生成回路（２３）を含む。
【００２０】
内部パルス生成回路（２３）は、スイッチ（２２）によって選択された記録部（２１）内に保持されているパルスデータ（ｂ）から出力駆動パルス（ａ）データの元になる内部パルスデータ（ｄ）を生成する。
【００２１】
ここでは詳細は省略するが、複数のパルスデータから一つの内部パルスデータを生成することもできるし、また、一つのパルスデータから一つの内部パルスデータを生成することも可能である。
【００２２】
内部パルスデータ（ｄ）は複数の信号で成り立っている。
【００２３】
また、ＴＧ部（２０）は、出力パルス割当回路（２４）を含む。
【００２４】
出力パルス割当回路（２４）は、内部パルス生成回路（２３）から供給された、内部パルスデータ（ｄ）から、ＣＣＤ（１０）に供給する出力駆動パルス（ａ）を適正に割り当てる。
【００２５】
出力パルス割当回路（２４）は、内部パルスデータ（ｄ）１信号に対して、出力駆動パルス（ａ）１端子または複数の端子に割り当てる、もしくは、割り当てないことが可能である。
【００２６】
コントローラ（３０）は、デジタルカメラ（１）全体を制御する。コントローラ（３０）は、例えば、マイコンで実現可能である。また、コントローラ（３０）は、ＤＳＰ（Ｄｉｇｉｔａｌ  Ｓｉｇｎａｌ  Ｐｒｏｃｅｓｓｅｒ）で実現してもよい。また、コントローラ（３０）は、動作モード制御部（３１）を含む。
【００２７】
動作モード制御部(３１）は、デジタルカメラ（１）の全体の動作モード（ｃ）を生成する。動作モード（ｃ）には、例えば、通常時においては、使用者が画角を調整するなどに使用する、図示していない液晶画面に現画像を表示するモニタモードや使用者が図示していないシャッタボタンを押下した場合に移行する、静止画を撮影するためのスチルモードなどがある。
【００２８】
また、コントローラ（３０）は、パルスデータ選択部（３２）を含む。パルスデータ選択部（３２）は、それぞれの動作モード（ｃ）に対応したＣＣＤ（１０）の駆動情報を保持している。パルスデータ選択部（３２）は、駆動情報を元に、動作モード（ｃ）におけるＣＣＤ（１０）の出力駆動パルス（ａ）を供給するための必要なパルスデータ（ｂ）を選択する。選択された情報は、パルスデータ選択情報（ｅ）として、ＴＧ部（２０）のスイッチ（２２）に送信する。
【００２９】
また、コントローラ（３０）は、出力パルス割当部（３３）を含む。出力パルス割当部（３３）は、それぞれの動作モード（ｃ）に対応した出力駆動パルス（ａ）の割当情報を保持している。出力パルス割当部（３３）は、割当情報を元に、動作モード（ｃ）における最適なＣＣＤ（１０）の出力駆動パルス（ａ）を供給するために、内部パルスデータ（ｄ）をＣＣＤ（１０）のどの端子に割り当てるかの情報を作成する。作成された情報は、出力パルス割当情報（ｆ）として、ＴＧ部（２０）の出力パルス割当回路（２４）に送信する。
１−２. 本発明との対応
ＣＣＤ（１０）は、本発明の撮像手段の一例である。記録部（２１）は、本発明の内部パルス記憶手段の一例である。スイッチ（２２）、内部パルス生成回路(２３)、パルスデータ選択部（３２）及び、動作モード制御部（３１）は、本発明の内部パルス生成手段の一例である。動作モード制御部（３１）及び、出力パルス割当部（３３）は、本発明の割当情報記録手段の一例である。出力パルス割当回路（２４）は、本発明の駆動パルス生成手段の一例である。デジタルカメラ(１）は本発明の撮像装置の一例である。
２.デジタルカメラの動作
本発明の実施の形態にかかるデジタルカメラ（１）は、少なくとも、静止画撮影動作、及び、使用者が静止画撮影する前に画角を調整するなどに使用するモニタ動作を行うことができる。図２は、デジタルカメラ（１）のモニタモードからスチルモードに移行した場合を説明するためのフローチャートである。以下、これらの動作について詳述する。図３は、モニタ動作時に駆動させる画素加算読み出しの出力駆動パルスのタイミングチャートの一部である。図４は、静止画動作時に駆動させるフレーム読み出しの出力駆動パルスのタイミングチャートの一部である。
【００３０】
また、本実施例ではパルスデータ（ｄ）は２つのパルスデータを保持している。一つは、フレーム読み出し用パルスデータ、もう一つは、画素加算読み出し用パルスデータである。
【００３１】
また、出力駆動パルス（ａ）はＯｕｔ−Ｖ１〜Ｏｕｔ−Ｖ６の計６本の垂直転送信号で構成されている。
【００３２】
また、内部パルスデータ（ｄ）はＩｎ−Ｖ１〜Ｉｎ−Ｖ６の６本の信号で構成されている。
２−１.モニタモード（Ｓ１）
デジタルカメラ（１）はモニタ動作時、図３に示す、画素加算読み出しの駆動でＣＣＤ（１０）を駆動させる。画素加算読み出し時には、図３に示すように、ＣＣＤ（１０）に出力するための出力駆動パルス（ａ）のＯｕｔ−Ｖ１とＯｕｔ−Ｖ４、Ｏｕｔ−Ｖ２とＯｕｔ−Ｖ５、Ｏｕｔ−Ｖ３とＯｕｔ−Ｖ６は同じパターンのパルスとなっている。
【００３３】
コントローラ部（３０）の動作モード制御部（３１）は、同コントローラ部（３０）内のパルスデータ選択部（３２）及び出力パルス割当部（３３）に動作モード（ｃ）が「モニタモード」であることを送信する。
【００３４】
パルスデータ選択部（３２）は、動作モード（ｃ）に対応したＣＣＤ（１０）の駆動情報を保持している。「モニタモード」という動作モード（ｃ）を受け取ると、保持している駆動情報から、モニタモード時には「画素加算読み出し」をすると判別する。そして、「画素加算読み出し」に必要なパルスデータを選択するよう、ＴＧ部（２０）のスイッチ（２２）にパルスデータ選択情報（ｅ）を送信する。
【００３５】
スイッチ（２２）はパルスデータ選択情報（ｅ）から記録部（２１）にあるパルスデータ（ｂ）の中から、「画素加算読み出し」に必要なパルスデータを読み出す。
【００３６】
画素加算読み出しに必要なパルスデータは、図５−（１）のようなもので、各時間に対する各信号の極性の情報を保持している。パルスデータは、ここでは各時間に対する各信号の極性をパルスデータとしているが、各時間に対する各信号のトグル(反転するかしないか)情報でも本発明は有効である。
【００３７】
ＴＧ部（２０）の内部パルス生成回路（２３）は、スイッチ(２２)を介して受信した、「画素加算読み出し」パルスデータ（ｂ）を元に内部パルスデータ（ｄ）を生成する（図５−（２））。
【００３８】
図５−（１）のパルスデータから生成される内部パルスデータ（ｄ）について詳細を説明する。ある時間ｔ１では内部パルスデータＩｎ−Ｖ１、Ｉｎ−Ｖ２、Ｉｎ−Ｖ３はそれぞれ“Ｌ”、“Ｍ”、“Ｌ”という極性になる（図５−（１）の２行目（ｔ１行））。Ｉｎ−Ｖ２、Ｉｎ−Ｖ３はｔ１タイミング以前も同極性であることから極性は保持されるが、Ｉｎ−Ｖ１1はｔ１タイミング以前と極性が異なるため、ｔ１で極性が変化している（図５−（２）のｔ１タイミング）。また時間ｔ２になった場合には、図５−（１）の３行目のｔ２行の極性となるため、それぞれ内部パルスデータＩｎ−Ｖ１、Ｉｎ−Ｖ２、Ｉｎ−Ｖ３、は“Ｌ”、“Ｍ”、“Ｍ”となるため、内部パルスデータはｔ２タイミングでは、Ｉｎ−Ｖ１、Ｉｎ−Ｖ２は極性が保持されるが、Ｉｎ−Ｖ３は極性が変化している（図５−（２）のｔ２タイミング）。このように以降ｔ３からｔ６までを繰り返して、図５−（２）のような内部パルスデータが生成される。画素加算読み出し時は、Ｉｎ−Ｖ４からＩｎ−Ｖ６信号は使用しない。
【００３９】
出力パルス割当部（３３）は、動作モード（ｃ）に対応した出力駆動パルス（ａ）の割当情報を保持している。「モニタモード」という動作モード（ｃ）を受け取ると、保持している割当情報から、モニタモード時には「画素加算読み出し」駆動に適した端子割当を行うと判断する。具体的には、出力パルス割当部（３３）は、「画素加算読み出し」がＯｕｔ−Ｖ１とＯｕｔ−Ｖ４、Ｏｕｔ−Ｖ２とＯｕｔ−Ｖ５、Ｏｕｔ−Ｖ３とＯｕｔ−Ｖ６は同じパルスであると判断する。
【００４０】
そして、ＴＧ部（２０）内の出力パルス割当回路(２４)に、図６のような「画素加算読み出し」時の駆動パルス割当情報（ｆ）を送信する。出力パルス割当回路（２４）は、図６の駆動パルス割当情報（ｆ）から、Ｏｕｔ−Ｖ１＝Ｉｎ−Ｖ１、Ｏｕｔ−Ｖ２＝Ｏｕｔ−Ｖ２、Ｏｕｔ−Ｖ３＝Ｉｎ−Ｖ３、Ｏｕｔ−Ｖ４＝Ｉｎ−Ｖ１，Ｏｕｔ−Ｖ５＝Ｉｎ−Ｖ２，Ｏｕｔ−Ｖ６＝Ｉｎ−Ｖ３となるような接続を行う（図７）。これによりＣＣＤ（１０）には、図３のようなタイミングで駆動出力パルスを出力し、モニタモードで動作する画素加算読み出しを実現することが可能となる。
２−２．レリーズ釦押下（Ｓ２）、静止画動作（Ｓ３）
デジタルカメラ（１）は静止画動作時、図４に示す、フレーム読み出しの駆動でＣＣＤ（１０）を駆動させる。フレーム読み出し時には、図４に示すように、ＣＣＤ（１０）に出力するための出力駆動パルス（ａ）のＯｕｔ−Ｖ１からＯｕｔ−Ｖ６は全て独立したパルスとなっている。
【００４１】
本発明のデジタルカメラ（１）の使用者は、図示しないモニタ表示を見ながら静止画を撮影する動作要求として、図示しないシャッタ釦を押下する（Ｓ２）。
【００４２】
シャッタ釦を押下すると、コントローラ（３０）は、使用者が静止画を撮影要求していると認識し、動作モード制御部(３１)は、同コントローラ部（３０）内のパルスデータ選択部（３２）及び出力パルス割当部（３３）に「スチルモード」という動作モード（ｃ）を送信する。
【００４３】
パルスデータ選択部（３２）は、動作モード（ｃ）に対応したＣＣＤ（１０）の駆動情報を保持している。「スチルモード」という動作モード（ｃ）を受け取ると、保持している駆動情報から、スチルモード時には「フレーム読み出し」をすると判別する。そして、「フレーム読み出し」に必要なパルスデータを選択するよう、ＴＧ部（２０）のスイッチ（２２）にパルスデータ選択情報（ｅ）を送信する。
【００４４】
スイッチ（２２）はパルスデータ選択情報（ｅ）から記録部（２１）にあるパルスデータ（ｂ）の中から、「フレーム読み出し」に必要なパルスデータを読み出す。
【００４５】
フレーム読み出しに必要なパルスデータは図（８）−１のようなものである。
【００４６】
ＴＧ部（２０）の内部パルス生成回路（２３）は、スイッチ(２２)を介して受信した、「フレーム読み出し」パルスデータ（ｂ）を元に内部パルスデータ（ｄ）を生成する（図（８）−２）。
【００４７】
図（８）−１のパルスデータから生成される内部パルスについては前述した画素加算読み出しと同様に生成を行う。
【００４８】
フレーム読み出しの場合は、Ｉｎ−Ｖ１からＩｎ−Ｖ６の信号を全て使用する。
【００４９】
出力パルス割当部（３３）は、動作モード（ｃ）に対応して出力駆動パルス（ａ）の割当情報を保持している。「スチルモード」という動作モード（ｃ）を受け取ると、保持している割当情報から、スチルモード時には「フレーム読み出し」駆動に適した端子割当を行うと判断する。具体的には、出力パルス割当部（３３）は、「フレーム読み出し」が、Ｏｕｔ−Ｖ１からＯｕｔ−Ｖ６まで全て独立したパルスであると判断する。
【００５０】
そして、ＴＧ部（２０）内の出力パルス割当回路(２４)に、図９のような「フレーム読み出し」時の駆動パルス割当情報（ｆ）を送信する。出力パルス割当回路（２４）は、図９の駆動パルス割当情報（ｆ）からＯｕｔ−Ｖ１＝Ｉｎ−Ｖ１、Ｏｕｔ−Ｖ２＝Ｉｎ−Ｖ２、Ｏｕｔ−Ｖ３＝Ｉｎ−Ｖ３、Ｏｕｔ−Ｖ４＝Ｉｎ−Ｖ４、Ｏｕｔ−Ｖ５＝Ｉｎ−Ｖ５，Ｏｕｔ−Ｖ６＝Ｉｎ−Ｖ６となるような接続を行う。これによりＣＣＤ（１０）には、図４のようなタイミングで駆動出力パルスを出力し、スチルモードで動作するフレーム読み出しを実現することが可能となる。
３.まとめ
このように、各モードを実現するための最小のパルスデータとそれを出力駆動パルスに割り当てる割当回路を設けることで、ＣＣＤ駆動端子数の増加及び駆動パルスの駆動方法が複雑になったとしても、最小のメモリで実現することが可能である。
【００５１】
尚、本実施例では内部パルスに対して出力パルスが１対１の関係で記載しているが、
複数の内部パルスから出力パルスを１つ生成してもよい。
【００５２】
また、本実施では画素加算読み出しと、フレーム読み出しの２つのモードで記載しているが、画質優先の全画素読み出し、速度優先の１／１２画素間引き読み出し、その中間の１／６間引き読み出しなど様々な駆動モードで行うことも可能である。
【００５３】
また、実施例では、各モードに応じてパルスデータや、出力パルス割当回路を切り替えているが、同じモードであっても、ＣＣＤのＰＤ（フォトダイオード）読み出し時や電荷の通常転送時などの駆動状態で、駆動パルス及び端子の割当が異なる場合であっても、同期信号などを基準にして実施例同様に、パルスデータや割当を切り替えてもよい。それにより、更なるメモリ効率化を実現することが可能となる。
【産業上の利用可能性】
【００５４】
本発明は、撮像素子駆動パルスを生成する撮像装置に関する。特に、複数ＣＣＤの駆動モードをもつ撮像装置に利用可能である。具体的には、デジタルスチルカメラやムービーカメラなどに適用可能である。
【符号の説明】
【００５５】
１    デジタルカメラ
１０    ＣＣＤ
２０    ＴＧ部
２１    記録部
２２    スイッチ
２３    内部パルス生成回路
２４    出力パルス割当回路
３０    コントローラ
３１    動作モード制御部
３２    パルスデータ選択部
３３    出力パルス割当部
ａ    出力駆動パルス
ｂ    パルスデータ
ｃ    動作モード
ｄ    内部パルスデータ
ｅ    パルスデータ選択情報
ｆ    出力パルス割当情報
【図１】
2011049933.tif 000003
【図２】
2011049933.tif 000004
【図３】
2011049933.tif 000005
【図４】
2011049933.tif 000006
【図５】
2011049933.tif 000007
【図６】
2011049933.tif 000008
【図７】
2011049933.tif 000009
【図８】
2011049933.tif 000010
【図９】
2011049933.tif 000011
【図１０】
2011049933.tif 000012